(57)【要約】      （修正有）【課題】直方体の包装に関し、包装袋の口部に設けたフラップを折り畳みし、包装部を比較的薄く密封すること。【解決手段】正面、背面、側面及び袋底を方形にして直方体状の袋体を形成し、該袋体の口部に、被包装物の方形の頂面を覆う大フラップを対向し、正面、背面の上部に連設すると共に、大フラップと直角の側面の上部に、前記頂面の１／２を覆う小フラップを連設し、大フラップの一つは被包装物の方形頂面を覆うフラップの端部に、接着部を連設した直方体用包装袋とする。【選択図】図２
0003116125.tif 000002
【実用新案登録請求の範囲】
【請求項１】
正面、背面、側面及び袋底を方形にして直方体状の袋体を形成し、該袋体の口部に、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋。
【請求項２】
正面、背面、側面及び袋底を方形にして直方体状の袋体の底面及び側面の中央を内側へ折り曲げて扁平に成形し、口部に被包装物の頂面を覆うフラップを切り出し、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋。
【請求項３】
等幅のフィルムを長さが異なるように重ね合せて、その対向する二つの重なり部を溶接して袋体とし、該袋体の袋底及び側面を方形にして直方体状の袋体の底面及び側面の中央を内側へ折り曲げて扁平に成形し、口部に被包装物の頂面を覆うフラップを切り出し、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋。
【考案の詳細な説明】
【技術分野】
【０００１】
この考案は、直方体状の被包装物を包装し、口部側のフラップを整然と当接封緘することを目的とした直方体用包装袋に関する。
【背景技術】
【０００２】
従来直方体状の被包装物（例えばビデオテープ入外箱、書籍、その他）を包装するには、直方体状袋に入れて、口部は被包装物より長い部分を折り重ねて封緘する。
【０００３】
また直方体の被包装物を比較的ゆるくした熱収縮性方形袋に入れてシールした後、蒸気を吹き付けて加熱収縮させるシュリンク包装方式も知られている。
【特許文献１】実公平２−４２６２２
【考案の開示】
【考案が解決しようとする課題】
【０００４】
従来使用されている包装袋は、底部が直方体にフィットするのに引換え、口部の処理がむつかしく、密閉不十分になる問題点があった。
【０００５】
例えば、普通のフィルム袋は、一方の側面のみフラップを連設した場合には密封が難しく、口部を筒状にすると封緘時に重なりが多くなって、口部包装材が不均等の重なりとなり、被包装体の直方体の外形が乱れ、緊張封緘状態を保つことができなくなる問題点があった。
【０００６】
また前記筒状の場合には、折り畳み操作も機器も複雑化する問題点があった。
【課題を解決するための手段】
【０００７】
この考案は、一方を開口した直方体状の包装袋の口部に各フラップ毎の切目を入れて、前後、左右の側面上部に、長短のある独立したフラップを連設した形状にすることにより、前記従来の問題点を解決したのである。
【０００８】
即ちこの考案は、正面、背面、側面及び袋底を方形にして直方体状の袋体を形成し、該袋体の口部に、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋である。また、正面、背面、側面及び袋底を方形にして直方体状の袋体の底面及び側面の中央を内側へ折り曲げて扁平に成形し、口部に被包装物の頂面を覆うフラップを切り出し、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋であり、等幅のフィルムを長さが異なるように重ね合せて、その対向する二つの重なり部を溶接して袋体とし、該袋体の袋底及び側面を方形にして直方体状の袋体の底面及び側面の中央を内側へ折り曲げて扁平に成形し、口部に被包装物の頂面を覆うフラップを切り出し、被包装物の方形の頂面を覆う大フラップを対向し、正面、背面の上部に連設すると共に、前記大フラップと直角の側面の上部に、前記頂面の１／２を覆う小フラップを連設し、前記大フラップの一つは被包装物の方形頂面を覆うフラップの端部に、接着部を連設したことを特徴とする直方体用包装袋である。
【０００９】
この考案における広い側の一対のフラップに長短を設け、その長いフラップは、直方体の上面を覆うと共に、側面上部に延長して接着できるように、接着層を設け、該部へ剥離片を貼着してある。
【００１０】
この考案の包装袋は、１枚の合成樹脂フィルムを重ね、二辺を熱シールし、底側を矩形に成形して折り込み、側面も折り込んで、扁平袋とするものである。前記袋体の口部各辺には、長短のフラップを連設し、このフラップを順次重ねると共に、最長のフラップで全体を押えて固定したもので、ほぼ三重の厚さで覆われるが、口部の前後面と、左右面が連結されていないので、各フラップは独立して折り曲げることができる。従って、フラップの折り曲げ手順に多少の時間的ずれがあっても正確に折り込むことができる。
【００１１】
この考案で用いる合成樹脂フィルムとしてはその材質に特定はないが、例えばポリエチレン、ポリプロピレン、塩化ビニール、その他従来袋材として使用した合成樹脂フィルムは何れも使用することができる。
【考案の効果】
【００１２】
この考案は、直方体状の合成樹脂フィルム袋の口部四辺に、長短のフラップを夫々連設したので、袋の口部の閉鎖が各フラップの折り込みで完了するので、簡単、容易かつ確実に封緘できる効果がある。
【００１３】
また直方体の広い面に連設したフラップの一方は、被包装物の上面の幅より長くして接着部としたので、他のフラップを折り込み、最後に前記長いフラップで上面を押えた後、その先端部を側面に折り込み、接着固定できる効果がある。これにより、上面の包装面を面一にできると共に、包装封緘状態を固定することができる効果がある。
【考案を実施するための最良の形態】
【００１４】
この考案は、正面、背面、側面及び袋底を矩形にして、直方体状の袋体を形成し、該袋体の口部に、被包装物の矩形の頂面を覆う二つの広い面側の大フラップを対向し、正面、背面の上部に連設すると共に、前記大フラップと、直角の側面の上部に、前記矩形の頂面の１／２を覆う小フラップを夫々連設し、前記大フラップの一つに、前記頂面と、広側面の一部を覆う長さとし、該大フラップの端縁の当接面に接着剤層を設け、この接着剤層に剥離紙を被着してこの考案の包装袋を構成した。
【００１５】
この考案の包装袋により直方体（例えばビデオテープ入りケース）を包装すれば、ケース全外側に包装袋が当接し、特に、包装袋の口部は、図５（ｂ）のように収まりよく包装される。従って包装ケースを展示又は搬送又は移送用容器に詰める際にも、包装しないケースと同様に整然と詰め込むことができる。このことはケースと、包装袋とが分離又は移動しない為である。
【実施例１】
【００１６】
この考案の実施例を図１、２について説明すると、作成すべき袋の正面、背面、底面及び左右側面の和と同一大きさのＣＰＰ（キャストポリプロピレン）フィルム１を中央部より若干下（鎖線２、３、３）で折り曲げ、両側辺４、４に沿って重なり部を熱シールした後、包装すべき直方体の頂面（矩形）の短辺５と、長辺６を考慮して、開口側を切込み７、７を入れると共に、余分の部分８、８を切除し、前後面及び左右面に夫々フラップ９ａ、９ｂ、９ｃ、９ｄを形成し、この考案の包装袋１０を構成した。前記において、包装袋底は前記鎖線２、３、３で内側へ折り曲げてある。
【００１７】
前記において、切断後フラップ９ｂの端部内側には、接着剤層１１を設け、その上に剥離紙１２が貼着してある。
【００１８】
前記包装袋１０は、被包装直方体の外形に合せて、底面、正面、背面及び左右側面が形成してあるので、前記包装袋１０を直方体の全外面に当接して包装することができる。
【００１９】
この場合に、包装袋１０の口部の各面に連設したフラップ９ａ、９ｂ、９ｃ、９ｄを、直方体１３の頂面上に折り曲げると、三重に重なり、最後に折り曲げるフラップ９ｂにより、各フラップ全体を押えて固定すれば、緊密かつ確実に包装することができる。
【実施例２】
【００２０】
この考案の実施例を図３、４、５について説明すると、包装すべき直方体１３より若干大きい相似形の内形を有する包装袋１０の開口部の前面、後面及び左右側面へ、夫々フラップ９ａ、９ｂ、９ｃ、９ｄを連設したものである。
【００２１】
前記包装袋１０により、直方体１３を包装するには、包装袋１０の口部を開き（図４）、この口部から直方体１３を矢示１４のように挿入（図４）した後、後面のフラップ９ａ、９ｂを矢示１５、１５のように折り曲げ、ついでフラップ９ａを矢示１６のように折り曲げた後、他のフラップ９ｂの剥離紙１２を除去してから、矢示１７のように折り曲げ、さらに正面まで折り曲げてフラップ９ｂの端部９ｅを接着し、包装を完了する（図５（ｂ））。
【００２２】
前記のように、各面に独立したフラップを連設したので、これを容易に折り曲げることができるし、上面も三重フィルムの包装であるから、包装状態が良好であり、他物に引掛るおそれはない。
【図面の簡単な説明】
【００２３】
【図１】（ａ）この考案の包装袋の製造工程を示す流れ図、（ｂ）同じく図１（ａ）中Ａ−Ａ断面拡大図。
【図２】同じくこの考案の実施例の包装袋を扁平にした状態（切断した状態）の拡大平面図。
【図３】同じく口部の形状を示す一部拡大斜視図。
【図４】同じく直方体を包装する場合の口部のフラップの折り曲げを示す拡大斜視図。
【図５】（ａ）同じく包装中途の一部拡大斜視図、（ｂ）同じく包装完了時の一部拡大斜視図。
【符号の説明】
【００２４】
１  ＣＰＰフィルム
３  底辺
４  側辺
５  短辺
６  長辺
７  切込み
９ａ、９ｂ、９ｃ、９ｄ  フラップ
１０  包装袋
１１  接着剤層
１２  剥離紙
１３  直方体
【図１】
0003116125.tif 000003
【図２】
0003116125.tif 000004
【図３】
0003116125.tif 000005
【図４】
0003116125.tif 000006
【図５】
0003116125.tif 000007